(57)【要約】【課題】緊急を要する時に、ユーザが設定した着信に関する出力を強制的に行う。【解決手段】着信報知の出力の設定に関する出力設定情報が格納された格納部１０１と、着信情報を受信する受信部１０２と、受信部１０２が受信した着信情報が予め決められた条件を満たすか否かを判断する判断部１０３と、判断部１０３が条件を満たすと判断した場合に、格納部１０１に格納された出力設定情報に関係し、条件に対応する出力動作を行う動作部１０５とを具備する通信装置１Ａにより、着信音を鳴らさないモードが設定されていても緊急連絡などの場合には着信音を鳴らして通信装置１Ａのユーザに連絡を取ることができる。【選択図】図１
2017059862.tif 000002
【特許請求の範囲】
【請求項１】
着信報知の出力の設定に関する出力設定情報が格納された格納部と、
着信情報を受信する受信部と、
前記受信部が受信した前記着信情報が、予め決められた条件を満たすか否かを判断する判断部と、
前記判断部が前記条件を満たすと判断した場合に、前記格納部に格納された前記出力設定情報に関係し、前記条件に対応する出力動作を行う動作部と、
を具備する通信装置。
【請求項２】
前記判断部が前記条件を満たすと判断した場合に、前記格納部に格納された前記出力設定情報を変更する変更部をさらに具備し、
前記動作部は、
前記変更部が変更した前記出力設定情報に対応する前記出力動作を行う、請求項１記載の通信装置。
【請求項３】
前記出力設定情報は、着信に関する出力のモードの情報であり、
前記動作部は、
前記判断部が予め決められた条件を満たすと判断した場合に、前記条件に対応する出力のモードを用いた出力動作を行う、請求項１または請求項２記載の通信装置。
【請求項４】
前記出力設定情報は、着信音を鳴らす第一モードと、着信音を鳴らさない第二モードのいずれかを含み、
前記動作部は、前記判断部が前記条件を満たすと判断した場合に、当該条件に対応して、着信音を出力する、または着信音を出力しない請求項３記載の通信装置。
【請求項５】
発信元の端末を識別する１以上の端末識別子が格納された第２の格納部をさらに具備し、
前記受信部は、発信元の端末の端末識別子をも受信し、
前記動作部は、前記判断部が予め決められた条件を満たすと判断した場合であり、前記受信部が受信した端末識別子が前記第２の格納部に格納されている場合にのみ、前記格納部に格納された出力設定情報に関係し、前記条件に対応する出力動作を行う、請求項１から請求項４いずれか一項に記載の通信装置。
【請求項６】
前記第２の格納部に格納された端末識別子とは異なる１以上の端末識別子が格納された第３の格納部をさらに具備し、
前記動作部は、前記判断部が予め決められた条件を満たすと判断した場合であり、前記受信部が受信した端末識別子が前記第２の格納部と前記第３の格納部のいずれかに格納されている場合にのみ、前記格納部に格納された出力設定情報に関係し、前記条件に対応する出力動作を行う、請求項５記載の通信装置。
【請求項７】
前記第２の格納部は、通信装置本体のアドレス帳を含む、請求項６記載の通信装置。
【請求項８】
着信報知の出力の設定に関する出力設定情報が格納された格納部を備えた通信装置の着信出力方法であって、
着信情報を受信する受信ステップと、
前記受信ステップで受信した着信情報が予め決められた条件を満たすか否かを判断する判断ステップと、
前記判断ステップで前記条件を満たすと判断した場合に、前記格納部に格納された出力設定情報に関係し、前記条件に対応する出力動作を行う動作ステップと、
を具備する、着信出力方法。
【請求項９】
コンピュータがアクセス可能な記録媒体は、着信報知の出力の設定に関する出力設定情報が格納された格納部を具備し、
前記コンピュータを、
着信情報を受信する受信部と、
前記受信部が受信した着信情報が予め決められた条件を満たすか否かを判断する判断部と、
前記判断部が前記条件を満たすと判断した場合に、前記格納部に格納された前記出力設定情報に関係し、前記条件に対応する出力動作を行う動作部と、
して機能させるプログラム。
【発明の詳細な説明】
【技術分野】
【０００１】
本発明は、通信装置、着信出力方法、及びプログラム等に関するものである。
【背景技術】
【０００２】
従来、携帯電話において、着信音を鳴らさないモードが知られている。このモードは、マナーモード、サイレントマナーなどと呼ばれ、通常、静粛が求められる公共の場所（例えば、会議場、映画館、図書館など）でユーザによって設定されるモードである。
【０００３】
マナーモードは、ユーザが周囲の状況に応じて適宜設定されるため、一度設定したマナーモードが解除されていないことも多い。このため、緊急連絡時に相手の携帯電話に発呼したとき、当該携帯電話がマナーモードに設定されていると、相手が着信に気づかず、連絡が取れないという問題がある。
【０００４】
また、従来、携帯電話が見当たらない場合、他の携帯電話からその携帯電話に発呼して着信音を鳴らし、その着信音を頼りに見当たらない携帯電話を探索する方法が知られている。
【０００５】
この場合も、見当たらない携帯電話がマナーモードに設定されていると、他の携帯電話からその携帯電話に発呼しても着信音が鳴らないので、携帯電話を探索することができない。
【０００６】
この問題を解消する方法として、従来、特許文献１には、クライアント端末装置から携帯端末装置に音声読み上げ要求と文字データを送信し、当該携帯端末装置がマナーモードに設定されている場合であっても、音声読み上げ要求に基づき文字データを読み上げた音声を出力させる方法が提案されている。
【先行技術文献】
【特許文献】
【０００７】
【特許文献１】特開２０１５−９２７６４号公報（段落［０００８］，［０００９］，［００５９］，［００６７］、図７等）
【発明の概要】
【発明が解決しようとする課題】
【０００８】
特許文献１に記載の方法は、遠隔操作により見当たらない携帯端末装置に音声を出力させて当該携帯端末装置の存在を周囲の人に知らせることを目的とするものである。しかしながら、クライアント端末装置から見当たらない携帯端末装置に音声読み上げ要求と文字データを送信して当該携帯端末装置で文字データを読み上げた音声を出力させるので、データの送受や携帯端末装置での音声出力処理が複雑である。
【０００９】
また、緊急連絡時にマナーモードのために相手の携帯電話に連絡が取れない場合に特許文献１に記載の方法を適用すると、相手の携帯電話で文字データの読上音が突然出力されて連絡相手やその周囲の人に不快感を与えることにもなるので、従来の方法は、着信を知らせる方法として適切とは言えない。
【００１０】
そこで、上記課題を解決するために、本発明は、緊急を要する時（例えば、重要事項をユーザに至急連絡したい時や使用しようとした通信装置が見当たらない時など）に、ユーザが設定した着信に関する出力を強制的に行うことができる通信装置、着信出力方法、及びプログラムを提供することを目的とする。
【課題を解決するための手段】
【００１１】
本発明に係る通信装置は、着信報知の出力の設定に関する出力設定情報が格納された格納部と、着信情報を受信する受信部と、受信部が受信した着信情報が、予め決められた条件を満たすか否かを判断する判断部と、判断部が条件を満たすと判断した場合に、格納部に格納された出力設定情報に関係し、条件に対応する出力動作を行う動作部と、を具備することを特徴とする。
【００１２】
かかる構成により、着信情報が条件を満たす場合は当該条件を満たす着信情報に対応した出力設定情報に従って着信に関する出力動作をさせることができる。その結果、緊急連絡時等に強制的に着信に関する出力を行うことができる。
【００１３】
前記構成において、判断部が条件を満たすと判断した場合に、格納部に格納された出力設定情報を変更する変更部をさらに具備し、動作部は、変更部が変更した出力設定情報に対応する出力動作を行ってもよい。
【００１４】
かかる構成により、着信情報が条件を満たす場合は、予め設定されている着信に関する出力設定情報を、条件を満たす着信情報に対応した出力設定情報に変更して着信に関する出力動作をさせることができる。
【００１５】
前記構成において、出力設定情報は、着信に関する出力のモードの情報であり、動作部は、判断部が予め決められた条件を満たすと判断した場合に、条件を満たす着信情報条件に対応する出力のモードを用いた出力動作を行ってもよい。
【００１６】
かかる構成により、着信情報が条件を満たす場合は、予め設定されている着信に関する出力設定情報のモード情報を、条件を満たす着信情報に対応したモード情報に変更して当該モード情報に対応する出力設定情報に従って着信に関する出力動作をさせることができる。
【００１７】
前記構成において、出力設定情報は、着信音を鳴らす第一モードと、着信音を鳴らさない第二モードのいずれかを含み、動作部は、判断部が条件を満たすと判断した場合に、条件に対応して、着信音を出力する、または着信音を出力しなくてもよい。
【００１８】
かかる構成により、着信に関する出力設定情報が着信音を鳴らす第一モードと着信音を鳴らさない第二モードのいずれかで設定されている場合、着信情報が条件を満たす場合は、予め設定されている出力設定情報のモードを、条件を満たす着信情報に対応したモードに変更して着信音の出力を制御することができる。
【００１９】
前記構成において、発信元の端末を識別する１以上の端末識別子が格納された第２の格納部をさらに具備し、受信部は、発信元の端末の端末識別子をも受信し、動作部は、判断部が予め決められた条件を満たすと判断した場合であり、受信部が受信した端末識別子が第２の格納部に格納されている場合にのみ、格納部に格納された出力設定情報に関係し、条件に対応する出力動作を行ってもよい。
【００２０】
かかる構成により、着信に関する出力設定情報が設定されている場合、着信情報が条件を満たし、さらに発信元の端末の端末識別子が第２の格納部に格納されている場合にのみ、当該条件を満たす着信情報に対応した出力設定情報に従って着信に関する出力動作をさせることができる。
【００２１】
前記構成において、前記第２の格納部に格納された端末識別子とは異なる１以上の端末識別子が格納された第３の格納部をさらに具備し、動作部は、判断部が予め決められた条件を満たすと判断した場合であり、受信部が受信した端末識別子が第２の格納部と第３の格納部のいずれかに格納されている場合にのみ、格納部に格納された出力設定情報に関し、条件に対応する出力動作を行ってもよい。
【００２２】
かかる構成により、着信情報が条件を満たし、発信元の端末の端末識別子が第２の格納部と第３の格納部のいずれかに格納されている場合にのみ、当該条件を満たす着信情報に対応した出力設定情報に従って着信に関する出力動作をさせることができる。
【００２３】
前記構成において、第２の格納部は、通信装置本体のアドレス帳を含んでもよい。
【００２４】
かかる構成により、着信に関する出力設定情報が設定されている場合、着信情報が条件を満たし、発信元の端末の端末識別子がと第３の格納部のいずれかのアドレス帳に登録されている場合にのみ、当該条件を満たす着信情報に対応した出力設定情報に従って着信に関する出力動作をさせることができる。
【００２５】
本発明に係る着信出力方法は、着信報知の出力の設定に関する出力設定情報が格納された格納部を備えた通信装置の着信出力方法であって、着信情報を受信する着信情報受信ステップと、着信情報受信ステップで受信した着信情報が予め決められた条件を満たすか否かを判断する判断ステップと、判断ステップで条件を満たすと判断した場合に、格納部に格納された出力設定情報に関係し、条件に対応する出力動作を行う動作ステップと、を具備することを特徴とする。
【００２６】
かかる構成により、着信情報が条件を満たす場合は当該条件を満たす着信情報に対応した出力設定情報に従って着信に関する出力動作をさせることができる。その結果、緊急連絡時等に強制的に着信に関する出力を行うことができる。
【００２７】
本発明に係るプログラムは、コンピュータがアクセス可能な記録媒体は、着信報知の出力の設定に関する出力設定情報が格納された格納部を具備し、コンピュータを、着信情報を受信する受信部と、受信部が受信した着信情報が予め決められた条件を満たすか否かを判断する判断部と、判断部が前記条件を満たすと判断した場合に、格納部に格納された出力設定情報に関係し、条件に対応する出力動作を行う動作部と、して機能させることを特著とする。
【００２８】
かかる構成により、着信情報が条件を満たす場合は当該条件を満たす着信情報に対応した出力設定情報に従って着信に関する出力動作をさせることができる。その結果、緊急連絡時等に強制的に着信に関する出力を行うことができる。
【発明の効果】
【００２９】
本発明による通信装置、着信出力方法、及びプログラムによれば、緊急連絡時等に強制的に着信に関する出力を行うことができる。
【図面の簡単な説明】
【００３０】
【図１】本実施の形態１における通信装置のブロック図
【図２】同実施の形態１における通信装置の動作を示すフローチャート
【図３】同実施の形態１における通信装置の動作の変形例を示すフローチャート
【図４】同実施の形態１における通信装置の一例である携帯端末の外観図
【図５】同実施の形態１における通信装置の電話又はＳＭＳの場合の着信情報の一例を示す図
【図６】本実施の形態２における通信装置のブロック図
【図７】同実施の形態２における通信装置の動作を示すフローチャート
【図８】同実施の形態２における通信装置の動作の変形例を示すフローチャート
【図９】同コンピュータシステムの構成の一例を示す図
【発明を実施するための形態】
【００３１】
（実施の形態１）
本実施の形態１において、着信情報を受信し、当該着信情報が予め決められた条件を満たす場合に、その条件に対応する着信報知の出力動作を行う通信装置１Ａについて説明する。
【００３２】
図１は、本実施の形態１における通信装置１Ａのブロック図である。例えば、本実施の形態１における通信装置１Ａとして、スマートフォン（図４参照）や携帯電話、タブレットなどの携帯端末を挙げることができる。
【００３３】
通信装置１Ａは、格納部１０１、受信部１０２、判断部１０３、変更部１０４、及び動作部１０５を備える。
【００３４】
格納部１０１は、着信に関する出力の設定情報（出力設定情報）を格納する。出力設定情報は、着信があった場合にその着信を通信装置１Ａのユーザに知らせるために動作部１０５が行う出力動作を制御するための情報である。着信には、電話の着信やＳＭＳ（Ｓｈｏｒｔ  Ｍｅｓｓａｇｅ  Ｓｅｒｖｉｃｅ）の受信、電子メールによるメッセージの受信などを広く含む。
【００３５】
出力設定情報は、例えば、通常モードやマナーモードなどの着信の出力に関するモードの情報である。通信装置１Ａは、スピーカなどの発音手段、液晶画面などの発光手段、バイブレータなどの振動手段を有し、これらの媒体を用いてユーザに着信があったことを知らせることができる。
【００３６】
通常モードは、着信音、着信光及び着信振動を初期設定されている態様、若しくはユーザが自ら設定した態様で出力させてユーザに着信を知らせるモードである。初期設定では、例えば、所定の鳴動パターンで着信音を鳴らす、所定の発光パターンで着信光を発光する、所定の振動パターンで着信振動を発生するなどの出力態様が設定されている。
【００３７】
マナーモードは、例えば、公共の場で着信が周囲の迷惑にならないように、ユーザが周囲への配慮をして設定するモードである。マナーモードは、着信音を鳴らさないでユーザに着信を知らせるモードであり、通常、ユーザが複数種類のマナーモードを設定できるようになっている。例えば、着信音を鳴動させず、着信振動だけを発生させてユーザに着信を知らせる通常のマナーモードや、着信音も着信振動も発生させないサイレントマナーモード等が知られている。
【００３８】
着信の出力に関するモードは、現在、通常モードとマナーモードとに分類することができる。通常モードは、ユーザが自ら設定する好みの設定モードであり、例えば、着信時に音を鳴らすモード（光も使用する場合は音と光を出力させるモード）である。また、マナーモードは、周囲に配慮した設定モードであり、例えば、着信時に音を鳴らさないモードである。
【００３９】
初期設定では、格納部１０１に出力設定情報として通常モードの情報が格納されている。ユーザがマナーモードを設定すると、格納部１０１に格納されている通常モードの情報は、マナーモードの情報に変更される。
【００４０】
なお、格納部１０１には、出力設定情報としてモード情報を格納してもよく、着信時にユーザに着信を知らせるための出力媒体と出力態様の情報を格納するようにしてもよい。例えば、ユーザによってマナーモードが設定された場合、格納部１０１に（出力媒体,出力態様）＝（バイブレータ，振動パターンＡ）などの情報を出力設定情報として格納するようにしてもよい。（バイブレータ，振動パターンＡ）の情報は、着信時に通信装置１Ａに内蔵されたバイブレータを振動パターンＡで振動させる制御をすることを示す情報である。なお、ここでいう振動パターンＡとは、複数の振動パターン（例えば、振動バターンＡ〜Ｅ）のうちの一つのパターンのことをいう。
【００４１】
格納部１０１は、不揮発性の記録媒体が好適であるが、揮発性の記録媒体でもよい。格納部１０１に出力設定情報が格納される過程は、問わない。例えば、当該出力設定情報は、記録媒体や、通信回線、入力デバイスなどを介して格納部１０１などに格納されてもよい。
【００４２】
受信部１０２は、着信に関する情報（着信情報）を受信する。着信は、例えば、電話がかかってきたり、メールを受信したりすることであり、着信情報は、発信元の端末が通信装置１Ａに発信（発呼）した場合に当該発信元の端末から送信される接続要求などの所定のデータ構造を有する情報である。
【００４３】
本実施の形態１に係る通信装置１Ａが受信する着信情報は、当該着信情報が予め決められた条件を満たすか否かを判断するための第１の情報Ｊ1を含む場合がある。また、着信情報は、発信元が通信装置１Ａに通信の接続をするための情報である通信装置１Ａの電話番号やメールアドレスなどの第２の情報Ｊ２を含む場合がある。
【００４４】
従って、受信部１０２が受信する着信情報には、第１の情報Ｊ１を含み第２の情報Ｊ２を含まない着信情報や、第１の情報Ｊ１及び第２の情報Ｊ２を含まない着信情報、第１の情報Ｊ１を含まず第２の情報Ｊ２を含む着信情報、第１の情報Ｊ１及び第２の情報Ｊ２を含む着信情報がある。
【００４５】
着信情報が第１の情報Ｊ１と第２の情報Ｊ２とを含む場合の両情報Ｊ１，Ｊ２の配列構造は問わない。例えば、第２の情報Ｊ２の前側に第１の情報Ｊ１を配置した、（Ｊ１＋Ｊ２）又は（Ｊ１＋Ｊ３＋Ｊ２）（ここでいう第３の情報Ｊ３は、その他の情報）の構造であってもよい。また、第２の情報Ｊ２の後側に第１の情報Ｊ１を配置した、（Ｊ２＋Ｊ１）又は（Ｊ２＋Ｊ３＋Ｊ１）の構造であってもよい。
【００４６】
第２の情報Ｊ２が、例えば、「０９０ｘｘｘｘ＃＃＃１」の電話番号で、第１の情報Ｊ１が、例えば、「＊」の記号キーに設定されている場合、着信情報は、「＊０９０ｘｘｘｘ＃＃＃１」や「＊△△△０９０ｘｘｘｘ＃＃＃１」（△△△は第３の情報Ｊ３）の構造を有してもよい。また、「０９０ｘｘｘｘ＃＃＃１＊」や「０９０ｘｘｘｘ＃＃＃１△△△＊」の構造を有していてもよい。
【００４７】
また、第２の情報Ｊ２の中に、第１の情報Ｊ１を埋め込んだ構造を有してもよい。例えば、第２の情報Ｊ２が（Ｊ２ａ＋Ｊ２ｂ）の構造を有している場合、着信情報は、（Ｊ２ａ＋Ｊ１＋Ｊ２ｂ）の構造を有してもよい。すなわち、着信情報は、例えば、Ｊ２ａ＝０９０、Ｊ２ｂ＝ｘｘｘｘ＃＃＃１とすると、「０９０＊ｘｘｘｘ＃＃＃１」の構造を有してもよい。
【００４８】
受信部１０２は、通常、無線又は有線の通信手段で実現される。通信手段の通信方式には１対１の通信方式と１対多の通信方式があるが、受信部１０２は、いずれの通信方式の受信手段であってもよい。例えば、着信情報が電話の場合、通常、１対１の通信方式による受信手段であってもよく、着信情報がメールの場合、１対１と１対多との両方の通信方式による受信であってもよい。
【００４９】
本発明に係る着信報知に関する出力動作の制御では、１対１の通信方式の場合、例えば、発信元が通信装置１Ａのユーザに電話若しくはメールなどで即時且つ確実に連絡を取りたい場合に利用することができる。また、例えば、悪天候によって移動手段が無くなり、発信元の人が、予定した時間に通信装置１Ａのユーザとの待合せ場所に行けなくなり、発信元の人がその情報を通信装置１Ａのユーザの至急連絡する場合に、本発明に係る着信報知に関する出力動作の制御を利用することができる。
【００５０】
また、１対多の通信方式の場合、発信元が通信装置１Ａのユーザを含めて特定の多数のユーザ若しくは不特定の多数のユーザに即時且つ確実に連絡事項を報知したい場合に利用することができる。例えば、通信装置１Ａのユーザが特定の情報を提供する事業者の会員になっていて、そのユーザが当該事業者から会員向けの特別の情報を受信する場合に、本発明に係る着信報知に関する出力動作の制御を利用することができる。会員向けに特別の情報を提供する事業者として、例えば、株や商品などの価格変動の情報を提供する事業者、プロスポーツの試合の結果などの情報を提供する事業者、エンターテナーのイベントなどの情報を提供する事業者、または、気象や地震などの環境に関する情報を提供する事業者などの情報提供を主たる事業もしくは付帯事業としている事業者などを挙げることができる。
【００５１】
判断部１０３は、受信部１０２が受信した着信情報が予め決められた条件を満たすか否かを判断する。つまり、判断部１０３は、例えば、着信情報に第１の情報Ｊ１が含まれているか否かを判断することにより、当該着信情報が予め決められた条件を満たすか否かを判断する。
【００５２】
例えば、受信部１０２が受信した着信情報が「＊０９０ｘｘｘｘ＃＃＃１」の情報を有している場合、その着信情報には、第１の情報Ｊ１＝「＊」が含まれているので、判断部１０３は、着信情報が条件を満たすと判断する。一方、受信部１０２が受信した着信情報が「０９０ｘｘｘｘ＃＃＃１」の情報を有している場合、その着信情報には、第１の情報Ｊ１＝「＊」が含まれていないので、判断部１０３は、着信情報が条件を満たさないと判断する。
【００５３】
第１の情報Ｊ１は、上記の「＊」の記号キーに限定されるものではない。第１の情報Ｊ１は、他の記号キー（例えば、「＃」）や複数の記号キーを組み合わせたもの（例えば、「＊＃」、「＊＊＊」、「＊＃＄」等）であってもよい。
【００５４】
また、第１の情報Ｊ１は、記号キーと数字キーを組み合わせたものでもよい。例えば、「９＊」、「＃４」、「９＊９」、「＊９９」、「＃９＊」などの記号キーと数字キーを組み合わせてものでもよい。その組み合わせでは、記号キーの数と数字キーの数は問わない。記号キーと数字キーの組み合わせの桁数が多いほど、他のサービスや識別のための情報との干渉が生じ難いので、好ましくは３桁以上にするとよい。
【００５５】
また、第１の情報Ｊ１は、数字キーだけで構成してもよい。第１の情報Ｊ１を数字キーだけで構成した場合は、例えば、「１８４」や「１８６」などの他のサービスの番号と干渉する虞が高くなるので、既存のサービスで使用されていない数字（例えば、「９９９」など）を用いるとよい。
【００５６】
判断部１０３は、通常、ＭＰＵやメモリ等で実現することができる。判断部１０３の処理手順は、通常、ソフトウェアで実現され、当該ソフトウェアはＲＯＭ等の記録媒体に記録されている。判断部１０３などは、ハードウェア（専用回路）で実現されてもよい。
【００５７】
変更部１０４は、着信情報が予め決められた条件を満たすと判断部１０３が判断した場合に、格納部１０１に格納されている出力設定情報（着信に関するモード情報）を、当該条件に対応する出力設定情報（着信に関するモード情報）に変更する。
【００５８】
例えば、格納部１０１にマナーモードのモード情報が格納されており、着信情報が予め決められた条件を満たす場合の出力設定情報（モード情報）として通常モードが予め対応付けられている場合、変更部１０４は、判断部１０３が着信情報は予め決められた条件を満たすと判断した場合に、格納部１０１に格納されているマナーモードのモード情報を通常モードのモード情報に変更する。
【００５９】
変更部１０４は、通常、ＭＰＵやメモリ等で実現することができる。変更部１０４の処理手順は、通常、ソフトウェアで実現され、当該ソフトウェアはＲＯＭ等の記録媒体に記録されている。変更部１０４は、ハードウェア（専用回路）で実現されてもよい。
【００６０】
動作部１０５は、格納部１０１に格納された出力設定情報に従って着信に関する出力動作を行う。すなわち、動作部１０５は、格納部１０１に格納されたモード情報に対応する出力動作を行う。
【００６１】
例えば、格納部１０１にマナーモードのモード情報が設定されている場合、判断部１０３が着信情報は条件を満たさないと判断した場合は、動作部１０５は、格納部１０１に格納されているマナーモードによって着信に関する出力動作を行う。例えば、マナーモードとして振動により着信を知らせる出力態様が設定されている場合、動作部１０５は、着信振動のみを発生させて通信装置１Ａのユーザに着信を知らせる。
【００６２】
なお、マナーモードにおける着信に関する出力態様には複数種類の設定が可能であり、例えば、音、光、振動のいずれも動作させない設定がされている場合は、動作部１０５は、実質的に着信に関する出力動作を行わず、通信装置１Ａのユーザに着信は報知されない。
【００６３】
一方、判断部１０３が着信情報は条件を満たすと判断した場合は、変更部１０４により変更された通常モードによって着信に関する出力動作を行う。例えば、通常モードとして音により着信を知らせる出力態様が設定されている場合、動作部１０５は、着信音を鳴らして通信装置１Ａのユーザに着信を知らせる。
【００６４】
通常モードでも着信に関する出力態様には複数種類の設定が可能であり、例えば、音と振動の出力態様が設定されている場合は、動作部１０５は、着信音を鳴らすとともに通信装置１Ａを振動させてユーザに着信を知らせる。
【００６５】
動作部１０５は、ＭＰＵやメモリ等の制御手段と、音声を発声する音声発生手段や振動を発生する振動発生手段などとで実現することができる。動作部１０５の処理手順は、通常、ソフトウェアで実現され、当該ソフトウェアはＲＯＭ等の記録媒体に記録されている。動作部１０５などは、ハードウェア（専用回路）で実現されてもよい。
【００６６】
次に、通信装置１Ａの動作について、図２のフローチャートを用いて説明する。
【００６７】
（ステップＳ１０１）受信部１０２が着信情報を受信したか否かを判断する。受信部１０２が着信情報を受信しなければ（Ｓ１０１：Ｎ）、ステップＳ１０１に戻って着信情報を待機し、受信部１０２が着信情報を受信すると（Ｓ１０１：Ｙ）、ステップＳ１０２に進む。
【００６８】
（ステップＳ１０２）判断部１０３は、受信部１０２が受信した着信情報が予め決められた条件を満たすか否かを判断する。判断部１０３が着信情報は条件を満たすと判断すると（Ｓ１０２：Ｙ）、ステップＳ１０３に進み、判断部１０３が着信情報は条件を満たさないと判断すると（Ｓ１０２：Ｎ）、ステップＳ１０４に進む。
【００６９】
（ステップＳ１０３）変更部１０４は、格納部１０１に格納されているモード情報を着信情報が条件を満たす場合に対応するモード情報に変更する。例えば、格納部１０１にマナーモードのモード情報が格納されており、着信情報が条件を満たす場合のモード情報が通常モードのモード情報に対応付けられている場合、変更部１０４は、格納部１０１に格納されているモード情報を通常モードのモード情報に変更する。
【００７０】
（ステップＳ１０４）動作部１０５は、格納部１０１に格納されているモード情報に対応する出力設定情報に従って着信に関する出力動作を行う。
【００７１】
例えば、着信情報が予め決められた条件を満たさない場合、動作部１０５は、格納部１０１に格納されているマナーモードの出力設定情報に従って着信に関する出力動作を行う。例えば、マナーモードとして振動により着信を知らせる出力態様が設定されている場合、動作部１０５は、音を鳴らさず、通信装置１Ａを振動させてユーザに着信を知らせる。
【００７２】
また、着信情報が予め決められた条件を満たす場合、動作部１０５は、格納部１０１に格納されている通常モードに対応する出力設定情報に従って着信に関する出力動作を行う。例えば、通常モードとして音により着信を知らせる出力態様が設定されている場合、動作部１０５は、通信装置１Ａを振動させず、着信音を鳴らしてユーザに着信を知らせる。
【００７３】
（ステップＳ１０５）変更部１０４は、格納部１０１に格納されているモード情報を元に戻す。例えば、格納部１０１に格納されているモード情報が通常モードに変更されている場合、変更部１０４は、格納部１０１に格納されている通常モードをマナーモードに変更する。
【００７４】
なお、ステップＳ１０５は、受信部１０２が連続して予め決められた条件を満たす着信情報を受信した場合、先に着信情報を受信したときの動作部１０５の出力動作の内容と後に着信情報を受信したきの動作部１０５の出力動作の内容が異なってしまうという不都合を回避するための処理である。
【００７５】
例えば、格納部１０１にマナーモードのモード情報が格納されているときに、受信部１０２の受信した着信情報が予め決められた条件を満たす場合、格納部１０１に格納されているモード情報は通常モードのモード情報に変更されるので、動作部１０５は通常モードに対応した出力動作を行う。
【００７６】
ステップＳ１０５の処理がなければ、次に受信部１０２の受信した着信情報も予め決められた条件を満たす場合、格納部１０１に格納されているモード情報はマナーモードに変更されるので、動作部１０５はマナーモードに対応した出力動作を行うことになる。
【００７７】
しかし、ステップＳ１０５の処理があれば、動作部１０５が通常モードに対応した出力動作をすると、格納部１０１に格納されているモード情報はマナーモードに戻されるので、次に受信部１０２が予め決められた条件を満たす着信情報を受信した場合でも動作部１０５は通常モードに対応した出力動作をすることができる。
【００７８】
なお、図２のフローチャートにおいて、電源オフや処理終了の割り込みにより処理は終了する。
【００７９】
本実施の形態１では、着信情報が予め決められた条件を満たす場合に、変更部１０４が格納部１０１に格納されている出力設定情報（モード情報）を一時的に変更するようにしている。しかしながら、これに限定されることではなく、格納部１０１に格納されている出力設定情報は変更せず、着信情報が条件を満たす場合には、動作部１０５がその場合に対応するモードの出力動作をするようにしてもよい。
【００８０】
すなわち、図１において、変更部１０４を除去し、図３に示すフローチャートの手順で、以下のように通信装置１Ａを動作させてもよい。
【００８１】
（ステップＳ２０１）受信部１０２が着信情報を受信したか否かを判断する。受信部１０２が着信情報を受信しなければ（Ｓ２０１：Ｎ）、ステップＳ２０１に戻って着信情報を待機し、受信部１０２が着信情報を受信すると（Ｓ２０１：Ｙ）、ステップＳ２０２に進む。
【００８２】
（ステップＳ２０２）判断部１０３は、受信部１０２の受信した着信情報が予め決められた条件を満たすか否かを判断する。判断部１０３が着信情報は条件を満たすと判断すると（Ｓ２０２：Ｙ）、ステップＳ２０３に進み、判断部１０３が着信情報は条件を満たさないと判断すると（Ｓ２０２：Ｎ）、ステップＳ２０４に進む。
【００８３】
（ステップＳ２０３）動作部１０５は、着信情報が条件を満たす場合に対応する出力設定情報（モード情報）に従って着信に関する出力動作を行う。着信情報が条件を満たす場合に対応するモードが通常モードに設定されている場合、動作部１０５は、通常モードで着信に関する出力動作を行う。例えば、通常モードの着信に関する出力動作として着信音を鳴らす内容が設定されている場合、動作部１０５は、音を鳴らしてユーザに着信を知らせる。
【００８４】
（ステップＳ２０４）動作部１０５は、格納部１０１に格納されている出力設定情報（モード情報）に従って出力に関する出力動作を行う。例えば、格納部１０１にマナーモードのモード情報が格納されている場合、動作部１０５は、マナーモードで着信に関する出力動作を行う。例えば、マナーモードの着信に関する出力動作として着信振動を発生する内容が設定されている場合、動作部１０５は、通信装置１Ａを振動させてユーザに着信を知らせる。
【００８５】
図３に示す処理手順では、受信部１０２が着信情報を受信する毎に当該着信情報が予め決められた条件を満たすか否かを判断し、当該着信情報が条件を満たす場合のときにだけ動作部１０５は一時的に当該着信情報が条件を満たす場合に対応するモードで出力動作する。
【００８６】
すなわち、動作部１０５は、受信部１０２が受信した着信情報が予め決められた条件を満たさない場合は、常に格納部１０１に格納されたモード（例えば、マナーモード）の出力動作を行い、受信部１０２が受信した着信情報が予め決められた条件を満たす場合のときにだけ、当該場合に対応するモード（通常モード）の出力動作を行う。従って、格納部１０１に格納されているモード情報が条件を満たす着信情報の受信によって自動的に変更されることはない。
【００８７】
（具体例）
次に、実施の形態１における通信装置１Ａの具体例について、説明する。
【００８８】
図４は、通信装置１Ａの一例である携帯端末の外観図である。
【００８９】
携帯端末１Ａは、縦長長方形で低背の本体１１を有し、正面の略中央液晶からなる表示部１２が設けられ、正面の上部にスピーカ１３が設けられている。また、本体１１には、当該本体１１を振動させるためのバイブレータ１４が内蔵されている。
【００９０】
携帯端末１Ａは、電話の着信があった場合、ＳＭＳの受信があった場合、電子メールの受信があった場合などにその着信やメールの受信の通知をユーザに知らせるための着信に関する出力動作のモードとして通常モードとマナーモードを有している。
【００９１】
通常モードは、例えば、着信音と着信振動について、初期設定されているモードである。通常モードでは、例えば、着信音＝鳴動、着信振動＝振動に設定されている。従って、通常モードでは、着信音を鳴らし、通信装置１Ａを振動させてユーザに着信を知らせる。
【００９２】
格納部１０１に格納されている通常モードのモード情報の一例を以下に示す。
【００９３】
通常モードＳには、電話、ＳＭＳ、メール、その他のメッセージ受信など項目に対応して４種類のモード情報が含まれる。例えば、これらの項目を識別する情報を「Ｓ１」、「Ｓ２」、「Ｓ３」、「Ｓ４」とすると、格納部１０１には、電話、ＳＭＳ、メール、その他の各項目に対して「モードＳ１」、「モードＳ２」、「モードＳ３」及び「モードＳ４」のモード情報が格納されている。
【００９４】
モードＳ１は、電話の着信に関する出力動作に対応するモードである。モードＳ１では、電話の着信に関する出力動作として着信音をパターン１で鳴動させる内容が対応付けられている。モードＳ２は、ＳＭＳの着信に関する出力動作に対応するモードである。モードＳ２では、ＳＭＳの着信に関する出力動作として着信音をパターン２で鳴動させる内容が対応付けられている。モードＳ３は、メールの受信に関する出力動作に対応するモードである。モードＳ３では、メールの受信に関する出力動作として着信音をパターン３で鳴動させる内容が対応付けられている。モードＳ４は、その他のメッセージの受信に関する出力動作に対応するモードである。モードＳ４では、その他のメッセージの受信に関する出力動作として着信音をパターン４で鳴動させる内容が対応付けられている。
【００９５】
マナーモードのモード情報の一例を以下に示す。
【００９６】
電話、ＳＭＳ、メール、その他のメッセージ受信など項目を識別する情報を「Ｍ１」、「Ｍ２」、「Ｍ３」、「Ｍ４」とすると、ユーザによりマナーモードが設定されると、格納部１０１に格納されているモード情報は、「モードＭ１」、「モードＭ２」、「モードＭ３」及び「モードＭ４」のモード情報に変更される。
【００９７】
モードＭ１は、電話の着信に関する出力動作に対応するモードである。モードＭ１では、電話の着信に関する出力動作として通信装置１ＡをパターンＡで振動させる内容が対応付けられている。モードＭ２は、ＳＭＳの着信に関する出力動作に対応するモードである。モードＭ２では、ＳＭＳの着信に関する出力動作として通信装置１ＡをパターンＢで振動させる内容が対応付けられている。モードＭ３は、メールの受信に関する出力動作に対応するモードである。モードＭ３では、メールの受信に関する出力動作として通信装置１ＡをパターンＣで振動させる内容が対応付けられている。モードＭ４は、その他のメッセージの受信に関する出力動作に対応するモードである。モードＭ４では、その他のメッセージの受信に関する出力動作として通信装置１ＡをパターンＤで振動させる内容が対応付けられている。
【００９８】
図５は、電話又はＳＭＳの場合の着信情報の一例を示す図である。
【００９９】
図５に示す例では、着信情報Ｊは、第１の情報Ｊ１として「＊」の記号キーの情報（「＊」のコード情報）を含み、着信情報Ｊに含まれる第２の情報Ｊ２として携帯端末１Ａの電話番号の情報（電話番号のコード情報を配列した情報）を含んでいる。また、着信情報Ｊは、（Ｊ１＋Ｊ２）のデータ構造を有している。
【０１００】
図５の例では、第１の情報Ｊ１として、テンキーの中の「＊」のコード情報が設定されているが、第１の情報Ｊ１は、「＊」のコード情報に限定されるものではなく、テンキーの中の他の記号（例えば、「＃」の記号）のコード情報であってもよく、複数個の記号キーを組み合わせたものや記号キーと数字キーを組み合わせたもののコード情報でも良い。例えば、「＊＃」や「＊＃＄」などの複数個の記号キーを組み合わせたものや「＊９」や「＃４６」などの記号キーと数字キーを組み合わせたもののコード情報を第１の情報Ｊ１に設定してもよい。
【０１０１】
図５に示す例では、着信情報Ｊに第１の情報Ｊ１が含まれていなければ、当該着信情報Ｊは、予め決められた条件を満たさないものであり、着信情報Ｊに第１の情報Ｊ１が含まれていれば、当該着信情報Ｊは、予め決められた条件を満たすものとなる。すなわち、着信情報Ｊの部分が「０９０ｘｘ…＃１」だけであれば、着信情報Ｊは、予め決められた条件を満たさないものであり、着信情報Ｊの部分が「＊０９０ｘｘ…＃１」であれば、着信情報Ｊは、予め決められた条件を満たすものとなる。
【０１０２】
そして、本具体例では、着信情報Ｊが予め決められた条件を満たす場合に対応する着信に関するモードとして通常モードが予め決められている。
【０１０３】
携帯端末１Ａの受信部１０２が着信情報Ｊを受信すると、判断部１０３がその着信情報Ｊが予め決められた条件を満たすか否かを判断する。判断部１０３は、着信情報Ｊが第１の情報Ｊ１（図５の「＊」のコード情報）を有していなければ、着信情報Ｊが予め決められた条件を満たさないと判断し、着信情報Ｊが第１の情報Ｊ１（図５の「＊」のコード情報）を有していれば、着信情報Ｊが予め決められた条件を満たすと判断する。
【０１０４】
変更部１０４は、判断部１０３が着信情報Ｊは予め決められた条件を満たさないと判断した場合は、格納部１０１に格納されているモード情報を変更しないが、判断部１０３が着信情報Ｊは予め決められた条件を満たすと判断した場合は、格納部１０１に格納されているモード情報を変更する。
【０１０５】
例えば、ユーザがマナーモードを「ＯＮ」に設定し、格納部１０１にマナーモードのモード情報が格納されている場合、変更部１０４は、判断部１０３が着信情報Ｊは予め決められた条件を満たすと判断した場合、格納部１０１に格納されているモード情報を通常モードのモード情報に変更し、判断部１０３が着信情報Ｊは予め決められた条件を満たさないと判断した場合は、格納部１０１に格納されているモード情報の変更はしない。
【０１０６】
受信部１０２が着信情報Ｊを受信すると、動作部１０５は、格納部１０１に格納されているモードに対応する出力設定情報に従って着信に関する出力動作を行う。この場合、判断部１０３により着信情報Ｊが予め決められた条件を満たさないと判断されると、格納部１０１に格納されているモード情報は、変化しないから、動作部１０５は、マナーモードで着信に関する出力動作を行う。
【０１０７】
例えば、電話の着信の場合、動作部１０５は、例えば、モードＭ１に対応する出力設定情報に従って着信に関する出力動作を行う。モードＭ１は、通信装置１ＡをパターンＡで振動させる内容が対応付けられているモードである。従って、動作部１０５は、本体１１に内蔵されたバイブレータ１４で通信装置１ＡをパターンＡで振動させてユーザに着信があったことを知らせる。
【０１０８】
また、ＳＭＳの受信の場合、動作部１０５は、モードＭ２に対応する出力設定情報に従って着信に関する出力動作を行う。モードＭ２は、通信装置１ＡをパターンＢで振動させる内容が対応付けられているモードである。従って、動作部１０５は、本体１１に内蔵されたバイブレータ１４で通信装置１ＡをパターンＢで振動させてユーザにＳＭＳの受信があったことを知らせる。
【０１０９】
一方、判断部１０３により着信情報Ｊが予め決められた条件を満たすと判断されると、格納部１０１に格納されているモード情報は変更部１０４により一時的に変更されるから、動作部１０５は、通常モードで着信に関す出力動作を行う。
【０１１０】
例えば、電話の着信の場合、動作部１０５は、モードＳ１に対応する出力設定情報に従って着信に関する出力動作を行う。モードＳ１は、着信音をパターン１で鳴動させる内容が対応付けられているモードである。従って、動作部１０５は、本体１１のスピーカ１３を用いて着信音をパターン１で鳴らしてユーザに着信があったことを知らせる。
【０１１１】
また、ＳＭＳの受信の場合、動作部１０５は、モードＳ２に対応する出力設定情報に従って着信に関する出力動作を行う。モードＳ２は、着信音をパターン２で鳴動させる内容が対応付けられているモードである。従って、動作部１０５は、本体１１のスピーカ１３を用いて着信音をパターン２で鳴らしてユーザにＳＭＳの受信があったことを知らせる。
【０１１２】
受信部１０２がメールやその他のメッセージを含む情報を受信する際の着信情報を受信した場合も同様である。すなわち、動作部１０５は、着信情報Ｊが予め決められた条件を満たさない場合、例えば、本体１１に内蔵されたバイブレータ１４で通信装置１ＡをパターンＣ又はパターンＤで振動させてユーザにメール又はメッセージが届いていることを知らせる。一方、着信情報Ｊが予め決められた条件を満たさない場合は、動作部１０５は、例えば、本体１１のスピーカ１３を用いて着信音をパターン３又はパターン４で鳴らしてユーザにメール又はメッセージが届いていることを知らせる。
【０１１３】
図５の例は、着信情報Ｊに第１の情報Ｊ１が含まれているか否かによって当該着信情報Ｊが予め決められた条件を満たすか否かを判断する方法であるが、例えば、着信情報Ｊが（第１の情報Ｊ１＋第２の情報Ｊ２（電話番号））のデータ構造を有するものとし、その着信情報Ｊの第１の情報Ｊ１の部分のデータによって当該着信情報Ｊが予め決められた条件を満たすか否かを判断する方法でもよい。
【０１１４】
例えば、第１の情報Ｊ１の部分に、条件を満たすことを示す特定の情報「Ｙ」と条件を満たさないことを示す特定の情報「Ｎ」のいずれかをセットして発信元の端末が（第１の情報Ｊ１＋第２の情報Ｊ２（電話番号））の着信情報Ｊを通信装置１Ａに送信するものとすると、通信装置１Ａで、例えば、着信情報Ｊの第１の情報Ｊ１が「Ｙ」の情報にセットされていれば、当該着信情報Ｊは所定の条件を満たすと判断し、着信情報Ｊの第１の情報Ｊ１が「Ｎ」の情報にセットされていれば、当該着信情報Ｊは所定の条件を満たさないと判断するようにしてもよい。
【０１１５】
この場合は、例えば、電話の着信の場合、動作部１０５は、着信情報Ｊの第１の情報Ｊ１が「Ｎ」の情報にセットされていれば、変更部１０４が格納部１０１の電話の着信に対するモード情報（モードＭ１）を変更しないので、動作部１０５は、本体１１に内蔵されたバイブレータ１４で通信装置１ＡをパターンＡで振動させてユーザに着信があったことを知らせる。
【０１１６】
また、ＳＭＳの受信の場合、動作部１０５は、着信情報Ｊの第１の情報Ｊ１が「Ｎ」の情報にセットされていれば、変更部１０４が格納部１０１のＳＭＳの着信に対するモード情報（モードＭ２）を変更しないので、本体１１に内蔵されたバイブレータ１４で通信装置１ＡをパターンＢで振動させてユーザにＳＭＳの受信があったことを知らせる。
【０１１７】
また、メールやその他のメッセージを含む情報の受信の場合、動作部１０５は、着信情報Ｊの第１の情報Ｊ１が「Ｎ」の情報にセットされていれば、変更部１０４が格納部１０１のメールやその他の着信に対するモード情報（モードＭ３，Ｍ４）を変更しないので、本体１１に内蔵されたバイブレータ１４で通信装置１ＡをパターンＣ又はパターンＤで振動させてユーザにメール又はメッセージが届いていることを知らせる。
【０１１８】
一方、動作部１０５は、着信情報Ｊの第１の情報Ｊ１が「Ｙ」の情報にセットされていれば、変更部１０４が格納部１０１のモード情報を一時的に通常モードに変更するので、例えば、電話の着信の場合、本体１１のスピーカ１３を用いて着信音をパターン１で鳴らしてユーザに着信があったことを知らせる。
【０１１９】
また、ＳＭＳの受信の場合、動作部１０５は、本体１１のスピーカ１３を用いて着信音をパターン２で鳴らしてユーザに着信があったことを知らせる。また、メールやその他のメッセージを含む情報の受信の場合、動作部１０５は、スピーカ１３を用いて着信音をパターン３又はパターン４で鳴らしてユーザにメール又はメッセージが届いていることを知らせる。
【０１２０】
以上、実施の形態１における通信装置１Ａによれば、発信元の端末が予め決められた条件を満たす着信情報Ｊを通信装置１Ａに送信すると、当該通信装置１Ａで着信情報Ｊが予め決められた条件を満たす場合に対応付けられたモードで着信に関する出力動作を行わせることができる。
【０１２１】
例えば、着信情報Ｊが予め決められた条件を満たす場合に対応する着信に関する出力動作のモードとして通常モードＳが対応付けられている場合、ユーザにより着信に関する出力動作のモードとしてマナーモードが設定されている場合でも、着信音を所定のパターンで鳴らして通信装置１Ａのユーザに着信を知らせることができる。これにより、発信元の人が通信装置１Ａユーザに緊急連絡をする必要がある場合、通信装置１Ａのユーザと確実に連絡を取ることができる。
【０１２２】
また、ユーザがマナーモードを設定した状態で通信装置１Ａを紛失した場合、他の通信装置で予め決められた条件を満たす着信情報Ｊを通信装置１Ａに送信すれば、当該通信装置１Ａで通常モードに対応する出力設定情報に従って着信に関する出力動作をさせる（着信音を所定のパターンで鳴らす）ことができるので、その着信音を頼りに通信装置１Ａを探索することができる。
【０１２３】
（実施の形態２）
図６は、本実施の形態２における通信装置１Ｂのブロック図である。
【０１２４】
本実施の形態２にかかる通信装置１Ｂは、上記の実施の形態１にかかる通信装置１Ａに対して、第２の格納部１０６と第３の格納部１０７を追加したものである。しかしながら、同一構成による作用効果及び変形例は、上記した実施の形態１と同様の作用効果及び変形例を有する。そこで、本実施の形態２では、上記の実施の形態１と異なる第２の格納部１０６及び第３の格納部１０７の構成について説明し、同一の構成についての説明を省略する。
【０１２５】
実施の形態２の通信装置１Ｂでは、実施の形態１の通信装置１Ａに対して、発信元の端末を識別する情報である端末識別子が第２の格納部１０６又は第３の格納部１０７に格納されていない場合は、判断部１０３が着信情報は予め決められた条件を満たすと判断した場合でも動作部１０５は当該場合に対応したモードの出力設定情報に従って着信に関する出力動作をしない点が異なる。
【０１２６】
すなわち、実施の形態２の通信装置１Ｂでは、発信元の端末識別子が第２の格納部１０６と第３の格納部１０７に格納されており、かつ、判断部１０３が着信情報は条件を満たすと判断した場合にのみ当該場合に対応したモードの出力設定情報に従って着信に関する出力動作を行い、その他の場合では格納部１０１に格納されたモードの出力設定情報に従って着信に関する出力動作を行う点が、実施の形態１の通信装置１Ａと異なる。
【０１２７】
端末識別子は、電話番号やメールアドレスなどの通信相手を特定するための情報である。電話番号やメールアドレスなどの情報は、通常、着信情報に含まれている。従って、通信装置１Ｂの受信部１０２は、発信元からの着信情報を受信すると同時に発信元の端末の端末識別子も受信する。
【０１２８】
第２の格納部１０６は、発信元の端末を識別する１以上の端末識別子を格納する。第２の格納部１０６に格納される端末識別子は、上記の着信に関す出力動作のサービスを受けるために、通信装置１Ｂのユーザによって設定された端末識別子である。第２の格納部１０６には、例えば、「氏名」と、「電話番号」、「メールアドレス」などの発信元に関する情報が格納され、電話番号やメールアドレスが発信元の端末の端末識別子に相当している。
【０１２９】
第３の格納部１０７も、発信元の端末を識別する１以上の端末識別子を格納する。第３の格納部１０７に格納される端末識別子は、例えば、ユーザが電話アプリのアドレス帳に登録した電話番号やメールアドレスなどのデータや、例えば、ＬＩＮＥ（登録商標）などのＳＮＳ（ｓｏｃｉａｌ  ｎｅｔｗｏｒｋｉｎｇ  ｓｅｒｖｉｃｅ）で友達などとして登録される通信相手の端末の電話番号やメールアドレスなどのデータである。
【０１３０】
第３の格納部１０６には、例えば、「名前」、「住所」、「電話番号」、「メールアドレス」などを含むアドレス帳の情報が格納されている。アドレス帳の電話番号やメールアドレスが発信元の端末の端末識別子に相当している。第３の格納部１０７に格納される端末識別子は、通常、第２の格納部１０７に格納される端末識別子の一部若しくは全てを含む。
【０１３１】
実施の形態２では、上記の着信に関す出力動作のサービスを受けるための発信元の端末の端末識別子を、ユーザがアドレス帳等に登録した友人、知人などの電話番号等やＳＮＳで友達リストに登録される通信相手の電話番号等に拡張しているが、アドレス帳や友達リストまで拡張しなくてもよい。すなわち、図７に示す通信装置１Ｂのブロック構成において、第２の格納部１０６のみで格納部を構成してもよい。
【０１３２】
第２の格納部１０６及び第３の格納部１０７は、不揮発性の記録媒体が好適であるが、揮発性の記録媒体でもよい。第２の格納部１０６及び第３の格納部１０７に端末識別子などの情報が格納される過程は、問わない。例えば、当該所定の情報は、記録媒体や、通信回線、入力デバイスなどを介して第２の格納部１０６及び第３の格納部１０７に格納されてもよい。
【０１３３】
判断部１０３は、受信部１０２が受信した着信情報が予め決められた条件を満たすか否かを判断する。さらに、判断部１０３は受信部１０２が受信した送信元の端末の端末識別子が第２の格納部１０６とは第３の格納部１０７のいずれかに格納されているか否かを判断する。
【０１３４】
変更部１０４は、判断部１０３が受信部１０２の受信した着信情報は予め決められた条件を満たすと判断し、さらに受信部１０２の受信した送信元の端末の端末識別子が第２の格納部１０６と第３の格納部１０７のいずれかに格納されていると判断した場合にのみ、格納部１０１に格納されているモード情報を一時的に変更する。
【０１３５】
従って、変更部１０４は、判断部１０３が受信部１０２の受信した着信情報は予め決められた条件を満たさないと判断した場合や、受信部１０２の受信した着信情報は予め決められた情報を満たすが、受信部１０２の受信した送信元の端末の端末識別子が第２の格納部１０６及び第３の格納部１０７のいずれにも格納されていないと判断した場合は、格納部１０１に格納されているモード情報を変更しない。
【０１３６】
例えば、格納部１０１にマナーモードが格納されている場合、変更部１０４は、着信情報が条件を満たし、かつ、発信元の端末識別子が第２の格納部１０６と第３の格納部１０７のいずれかに格納されている場合にのみ、格納部１０１に格納されているモード情報を一時的に通常モードに変更し、着信情報が条件を満たさない場合や着信情報が条件を満たすが、発信元の端末識別子が第２の格納部１０６と第３の格納部１０７のいずれにも格納されていない場合は、格納部１０１に格納されているモード情報を変更しない。
【０１３７】
次に、通信装置１Ｂの動作について、図８のフローチャートを用いて説明する。
【０１３８】
（ステップＳ３０１）受信部１０２が着信情報と発信元の端末の端末識別子を受信したか否かを判断する。受信部１０２が着信情報と発信元の端末の端末識別子を受信しなければ（Ｓ３０１：Ｎ）、ステップＳ３０１に戻って着信情報等の受信を待機し、受信部１０２が着信情報と発信元の端末の端末識別子を受信すると（Ｓ３０１：Ｙ）、ステップＳ３０２に進む。
【０１３９】
（ステップＳ３０２）判断部１０３は、受信部１０２の受信した着信情報が予め決められた条件を満たすか否かを判断する。判断部１０３の判断結果が条件を満たす場合（Ｓ３０２：Ｙ）、ステップＳ３０３に進み、判断部１０３の判断結果が条件を満たさない場合（Ｓ３０２：Ｎ）、ステップＳ３０５に進む。
【０１４０】
（ステップＳ３０３）判断部１０３は、受信部１０２の受信した発信元の端末の端末識別子が第２の格納部１０６と第３の格納部１０７のいずれかに格納されているか否かを判断する。判断部１０３が第２の格納部１０６と第３の格納部１０７のいずれかに発信元の端末の端末識別子が格納されていると判断すると（Ｓ３０３：Ｙ）、ステップＳ３０４に進み、判断部１０３が第２の格納部１０６と第３の格納部１０７のいずれにも発信元の端末の端末識別子が格納されていないと判断すると（Ｓ３０３：Ｎ）、ステップＳ３０５に進む。
【０１４１】
（ステップＳ３０４）変更部１０４は、格納部１０１に格納されているモード情報を着信情報が条件を満たす場合に対応するモード情報に変更する。例えば、格納部１０１にマナーモードのモード情報が格納されており、着信情報が条件を満たす場合に対応するモードが通常モードに予め決められている場合、変更部１０４は、格納部１０１に格納されているモード情報を通常モードのモード情報に変更する。
【０１４２】
（ステップＳ３０５）動作部１０５は、格納部１０１に格納されているモード情報で着信に関する出力動作を行う。
例えば、着信情報が条件を満たさない場合、動作部１０５は、格納部１０１に格納されているマナーモードで着信に関する出力動作を行う。
【０１４３】
また、着信情報は条件を満たすが、発信元の端末の端末識別子が第２の格納部１０６と第３の格納部１０７のいずれにも格納されていない場合も、動作部１０５は、格納部１０１に格納されているマナーモードに対応する出力設定情報に従って着信に関する出力動作を行う。すなわち、動作部１０５は、音を鳴らさず、通信装置１Ｂの振動だけでユーザに着信を知らせる。
【０１４４】
一方、着信情報が条件を満たし、さらに発信元の端末の端末識別子が第２の格納部１０６と第３の格納部１０７のいずれかに格納されている場合、動作部１０５は、格納部１０１に格納されている通常モードに対応する出力設定情報に従って着信に関する出力動作を行う。すなわち、動作部１０５は、着信音を鳴らしてユーザに着信を知らせる。
【０１４５】
（ステップＳ３０６）変更部１０４は、格納部１０１に格納されているモード情報を元に戻す。例えば、格納部１０１に格納されているモード情報が通常モードに変更されている場合、変更部１０４は、格納部１０１に格納されている通常モードをマナーモードに変更する。
【０１４６】
なお、ステップＳ３０６は、受信部１０２が連続して予め決められた条件を満たす着信情報を受信し、かつ、送信元の端末識別子が第２の格納部１０６と第３の格納部１０７のいずれかに格納されている場合、先に着信情報を受信したときの動作部１０５の出力動作の内容と後に着信情報を受信したきの動作部１０５の出力動作の内容が異なってしまうという不都合を回避するための処理である。
【０１４７】
本実施の形態２では、着信情報が予め決められた条件を満たし、かつ、送信元の端末識別子が第２の格納部１０６と第３の格納部１０７のいずれかに格納されている場合に、変更部１０４が格納部１０１に格納されている出力設定情報（モード情報）を一時的に変更するようにしている。しかしながら、これに限定されることではなく、格納部１０１に格納されている出力設定情報は変更せず、着信情報が条件を満たし、かつ、送信元の端末識別子が第２の格納部１０６と第３の格納部１０７のいずれかに格納されている場合には、動作部１０５がその場合に対応するモードの出力動作をするようにしてもよい。
【０１４８】
すなわち、図７において、変更部１０４を除去し、図９に示すフローチャートの手順で、以下のように通信装置１Ｂを動作させてもよい。
【０１４９】
（ステップＳ４０１）受信部１０２が着信情報と発信元の端末の端末識別子を受信したか否かを判断する。受信部１０２が着信情報と発信元の端末の端末識別子を受信しなければ（Ｓ４０１：Ｎ）、ステップＳ４０１に戻って着信情報等の受信を待機し、受信部１０２が着信情報と発信元の端末の端末識別子を受信すると（Ｓ４０１：Ｙ）、ステップＳ４０２に進む。
【０１５０】
（ステップＳ４０２）判断部１０３は、受信部１０２の受信した着信情報が予め決められた条件を満たすか否かを判断する。判断部１０３の判断結果が条件を満たす場合（Ｓ４０２：Ｙ）、ステップＳ４０３に進み、判断部１０３の判断結果が条件を満たさない場合（Ｓ４０２：Ｎ）、ステップＳ４０５に進む。
【０１５１】
（ステップＳ４０３）判断部１０３は、受信部１０２の受信した発信元の端末の端末識別子が第２の格納部１０６と第３の格納部１０７のいずれかに格納されているか否かを判断する。判断部１０３が第２の格納部１０６と第３の格納部１０７のいずれかに発信元の端末の端末識別子が格納されていると判断すると（Ｓ４０３：Ｙ）、ステップＳ４０４に進み、判断部１０３が第２の格納部１０６と第３の格納部１０７のいずれにも発信元の端末の端末識別子が格納されていないと判断すると（Ｓ４０３：Ｎ）、ステップＳ４０５に進む。
【０１５２】
（ステップＳ４０４）動作部１０５は、着信情報が条件を満たし、かつ、発信元の端末の端末識別子が第２の格納部１０６と第３の格納部１０７のいずれかに格納されている場合に対応する出力設定情報（モード情報）に従って着信に関する出力動作を行う。着信情報が条件を満たし、かつ、発信元の端末の端末識別子が第２の格納部１０６と第３の格納部１０７のいずれかに格納されている場合に対応するモードが通常モードに設定されている場合、動作部１０５は、通常モードで着信に関する出力動作を行う。例えば、通常モードの着信に関する出力動作として着信音を鳴らす内容が設定されている場合、動作部１０５は、着信音を鳴らしてユーザに着信を知らせる。
【０１５３】
（ステップＳ４０５）動作部１０５は、格納部１０１に格納されているモード情報で着信に関する出力動作を行う。例えば、格納部１０１にマナーモードが格納されている場合、動作部１０５は、マナーモードに対応する出力設定情報に従って着信に関する出力動作を行う。例えば、マナーモードの着信に関する出力動作として着信振動を発生する内容が設定されている場合、動作部１０５は、通信装置１Ａを振動させてユーザに着信を知らせる。
【０１５４】
以上、実施の形態２における通信装置１Ｂによれば、着信情報Ｊが予め決められた条件を満たし、さらに発信元の端末の端末識別子が第２の格納部１０６と第３の格納部１０７のいずれかに格納されている場合にのみ、通信装置１Ｂで着信情報が条件を満たす場合に対応付けられたモードの出力設定情報に従って着信に関する出力動作を行わせることができる。
【０１５５】
例えば、着信情報が予め決められた条件を満たす場合に対応するモードに通常モードが対応付けられている場合、ユーザが発信元の端末識別子を第２の格納部１０６と第３の格納部１０７のいずれかに格納していれば、着信音を鳴らして通信装置１Ｂのユーザが知っている発信元からの着信を当該ユーザに知らせることができる。
【０１５６】
また、ユーザの知らない発信元が第２の情報Ｊ２を含む着信情報Ｊを送信してきた場合は、着信音を鳴らさないので、ユーザは知らない人からの着信には応答しないようにすることができる。
【０１５７】
これにより、ユーザが知っている発信元が当該ユーザに緊急連絡をする必要がある場合にのみ、ユーザは発信元と確実に連絡を取ることができる。
【０１５８】
上記の実施の形態１，２において、通信装置１Ａ，１Ｂの各構成要素は専用のハードウェアにより構成されてもよく、あるいは、ソフトウェアにより実現可能な構成要素については、コンピュータシステムによってプログラムを実行することによって実現されてもよい。
【０１５９】
本実施の形態１における通信装置１Ａを実現するソフトウェアは、以下のようなプログラムである。
【０１６０】
すなわち、コンピュータがアクセス可能な記録媒体は、着信報知の出力の設定に関する出力設定情報が格納された格納部を具備し、コンピュータを、着信情報を受信する受信部と、受信部が受信した着信情報が、予め決められた条件を満たすか否かを判断する判断部と、判断部が前記条件を満たすと判断した場合に、格納部に格納された出力設定情報に関係し、条件に対応する出力動作を行う動作部と、して機能させるプログラムである。
【０１６１】
また、上記のプログラムにおいて、コンピュータを、判断部が条件を満たすと判断した場合に、格納部に格納された出力設定情報を変更する変更部としてさらに機能させ、動作部は、変更部が変更した出力設定情報に対応する出力動作を行うプログラムである。
【０１６２】
また、本実施の形態２おける通信装置１Ｂを実現するソフトウェアは、上記のプログラムにおいて、コンピュータがアクセス可能な記録媒体は、発信元の端末を識別する１以上の端末識別子が格納された第２の格納部をさらに具備し、コンピュータを、受信部は、発信元の端末の端末識別子をも受信し、動作部は、判断部が予め決められた条件を満たすと判断した場合であり、受信部が受信した端末識別子第２の格納部に格納されている場合にのみ、格納部に格納された出力設定情報に関係し、条件に対応する出力動作を行うプログラムである。
【０１６３】
また、上記のプログラムにおいて、コンピュータがアクセス可能な記録媒体は、第２の格納部に格納された端末識別子とは異なる１以上の端末識別子が格納された第３の格納部をさらに具備し、動作部は、判断部が予め決められた条件を満たすと判断した場合であり、受信部が受信した端末識別子が第２の格納部と第３の格納部のいずれかに格納されている場合にのみ、格納部に格納された出力設定情報に関係する出力動作であり、条件に対応する出力動作を行うプログラムである。
【０１６４】
図９は、上記プログラムを実行して、上記実施の形態による通信装置１Ａ，１Ｂを実現するコンピュータシステム９００の一例を示す図である。
【０１６５】
図９において、コンピュータシステム９００は、ＭＰＵ（Ｍｉｃｒｏ  Ｐｒｏｃｅｓｓｉｎｇ  Ｕｎｉｔ）９１１と、ブートアッププログラム等のプログラムや、アプリケーションプログラム、システムプログラム、及びデータが記憶されるフラッシュメモリ等のＲＯＭ９１２と、ＭＰＵ９１１に接続され、アプリケーションプログラムの命令を一時的に記憶すると共に、一時記憶空間を提供するＲＡＭ９１３と、タッチパネル９１４と、無線通信モジュール９１５と、ＭＰＵ９１１、ＲＯＭ９１２等を相互に接続するバス９１６とを備える。なお、無線通信モジュール９１５に代えて、有線通信モジュールを備えていてもよい。また、タッチパネル９１４に代えて、ディスプレイと、マウスやキーボード等の入力デバイスとを備えていてもよい。
【０１６６】
コンピュータシステム９００に、上記実施の形態による通信装置１Ａ，１Ｂの機能を実行させるプログラムは、無線通信モジュール９１５を介してＲＯＭ９１２に記憶されてもよい。プログラムは実行の際にＲＡＭ９１３にロードされる。なお、プログラムは、ネットワークから直接、ロードされてもよい。
【０１６７】
コンピュータシステム９００がどのように動作するのかについては周知であり、詳細な説明は省略する。
【０１６８】
本発明は、以上の実施の形態に限定されることなく、種々の変更が可能であり、それらも本発明の範囲内に包含されるものであることは言うまでもない。
【産業上の利用可能性】
【０１６９】
以上のように、本発明は、強制的に着信に関する出力を行うことができるため、例えば、着信を知らせないモードが設定されている通信装置に緊急連絡をするときや着信を知らせないモードが設定されている通信装置を探索するときなどに有用である。
【符号の説明】
【０１７０】
１Ａ，１Ｂ  通信装置
１０１  格納部
１０２  受信部
１０３  判断部
１０４  変更部
１０５  動作部
１０６  第２の格納部
１０７  第３の格納部
【図１】
2017059862.tif 000003
【図２】
2017059862.tif 000004
【図３】
2017059862.tif 000005
【図４】
2017059862.tif 000006
【図５】
2017059862.tif 000007
【図６】
2017059862.tif 000008
【図７】
2017059862.tif 000009
【図８】
2017059862.tif 000010
【図９】
2017059862.tif 000011